(57)【要約】【課題】  利便性に優れ、また含漱用コップを上下逆さに置くことにより衛生上も優れた含漱用コップ及びコップホルダ構造を提供する。【解決手段】  含漱用コップ及びコップホルダ構造は、コップホルダ１及び含漱用コップ２を備える。コップホルダ１は、垂直面上に固定させることが可能な固定部１３と、突出された延伸部１１とを有する。延伸部１１の底面には、結合部材１４が接続される。含漱用コップ２は、結合部材１４が連結固定される被結合部材２２が底部に配置され、コップホルダ１の延伸部１１の下方に上下逆さに収納される。コップホルダ１は、開口を有する収納空間１２が頂部に設けられる。【選択図】  図１
0003176981.tif 000002
【実用新案登録請求の範囲】
【請求項１】
コップホルダ及び含嗽用コップを備えた含嗽用コップ及びコップホルダ構造であって、
前記コップホルダは、垂直面上に固定させることが可能な固定部と、突出された延伸部と、を有し、前記延伸部の底面には、結合部材が接続され、
前記含嗽用コップは、前記結合部材が連結固定される被結合部材が底部に配置され、前記コップホルダの前記延伸部の下方に上下逆さに収納されることを特徴とする含嗽用コップ及びコップホルダ構造。
【請求項２】
前記コップホルダは、開口を有する収納空間が頂部に設けられることを特徴とする請求項１に記載の含嗽用コップ及びコップホルダ構造。
【請求項３】
前記収納空間の底部には、傾斜底面が設けられ、
前記傾斜底面の最低部位には、中空状槽孔が設けられることを特徴とする請求項２に記載の含嗽用コップ及びコップホルダ構造。
【請求項４】
前記コップホルダの前記結合部材及び前記含嗽用コップの前記被結合部材は、磁力により互いに吸着される磁性体又は互いに接続される面ファスナであることを特徴とする請求項１、２又は３に記載の含嗽用コップ及びコップホルダ構造。
【請求項５】
前記コップホルダの前記延伸部の底面には、凹部空間が設けられ、
前記凹部空間の内周縁には内リング溝が設けられ、
前記結合部材の周側には、係合部が突設され、前記係合部が前記内リング溝内に嵌入されると、前記結合部材が前記延伸部の底面に固定されることを特徴とする請求項１、２又は３に記載の含嗽用コップ及びコップホルダ構造。
【請求項６】
前記含嗽用コップの底部には、凹部空間が設けられ、
前記凹部空間の内周縁には、内リング溝が設けられ、
前記被結合部材の周側には、環状凸縁が突設され、前記環状凸縁が前記内リング溝内に嵌入されると、前記被結合部材が前記含嗽用コップの底面に固定されることを特徴とする請求項１、２又は３に記載の含嗽用コップ及びコップホルダ構造。
【請求項７】
前記コップホルダは、プレート状の固定部材により垂直面上に固設されることを特徴とする請求項１、２又は３に記載の含嗽用コップ及びコップホルダ構造。
【請求項８】
前記コップホルダは、プレート状の固定部材により垂直面上に固設されることを特徴とする請求項４に記載の含嗽用コップ及びコップホルダ構造。
【考案の詳細な説明】
【技術分野】
【０００１】
本考案は、含嗽用コップ及びコップホルダ構造に関するものであり、さらに詳しくは、使用しやすく、かつ、含嗽用コップを上下逆さに置くことにより衛生的にも優れた含嗽用コップ及びコップホルダ構造に関するものである。
【背景技術】
【０００２】
歯ブラシ及び含嗽用コップは、我々の日常生活において必要不可欠な物であり、細菌感染を防ぐために、各人専用の歯ブラシ及び含嗽用コップを使用する必要がある。従来の含嗽用コップ製品は、その大部分が独立したコップ状の容器であり、含嗽に必要な水を汲むために用いるが、このようなコップ状容器の含嗽用コップ構造には、以下（１）〜（３）の欠点がある。
（１）含嗽用コップを使用した後、洗面台上へ上下に立てて置くのが一般的であるが、歯を磨いた後に含嗽用コップ内の水を全て捨てたとしても少量の水が残ってしまうことがあり、その場合、含嗽用コップ内に残った水が細菌により汚染されることがある。
（２）歯ブラシのブラシヘッドが外部からの細菌により汚染されることを防ぐために、歯ブラシを使用した後、ブラシヘッドが他の物に接触することをなるべく防ぐ必要がある。しかし、一般の歯ブラシには、直立させて置く機構が設けられていないため、一般に歯ブラシを使用した後、含嗽用コップ内に立てて入れているが、含嗽用コップ内に発生する細菌により歯ブラシが汚染されて衛生上好ましくない。
（３）含嗽用コップ内に発生した細菌により歯ブラシが汚染されることを防ぐために、歯ブラシ専用の収納機構を設けてもよいが、これは洗面台の空間を占有してしまうため、空間を有効に利用することができない。
【０００３】
上述の問題点を解決するために特許文献１が開示されている。この特許文献１は、壁面に吸着される強力吸盤モジュールを含む。この強力吸盤モジュールは、歯ブラシ用引掛孔及び突起用引掛孔を有する。この歯ブラシ用引掛孔には、歯ブラシを挿設して収納し、含嗽用コップに突起部が設けられている。突起用引掛孔に突起部を挿入し、強力吸盤モジュール上に含嗽用コップを上下逆さにした状態で吊下げることにより、含嗽用コップ内の水滴を排出させて含嗽用コップを完全に乾かす。しかし、このような含嗽用コップの突起部を強力吸盤モジュールの突起用引掛孔内に挿設させる場合、含嗽用コップ自身の重量により突起部が傾き、含嗽用コップが滑って落下してしまうことがある。さらに、含嗽用コップは、外力を受けると回転し易いため、上下逆の状態を常に維持することが困難であり、含嗽用コップ内を乾かすことは困難である。さらに、１つの強力吸盤モジュールは、１つの歯ブラシしか収納することができないため、空間を有効に利用することができず、経済性が好ましくない。
【０００４】
そのため、上述したような従来の含嗽用コップ及びそれに関連した固定構造の欠点を有さない含嗽用コップ及びコップホルダ構造が求められていた。
【先行技術文献】
【特許文献】
【０００５】
【特許文献１】台湾実用新案登録第３９１９２６号公報
【考案の概要】
【考案が解決しようとする課題】
【０００６】
本考案の第１の課題は、含嗽用コップ内を完全に乾かし、含嗽用コップ内が細菌により汚染されることを防ぐ含嗽用コップ及びコップホルダ構造を提供することにある。
【０００７】
本考案の第２の課題は、歯ブラシの収納機構を備えて占有空間を小さくすることができる含嗽用コップ及びコップホルダ構造を提供することにある。
【０００８】
本考案の第３の課題は、操作が非常に便利であり、利便性の優れた含嗽用コップ及びコップホルダ構造を提供することにある。
【課題を解決するための手段】
【０００９】
そこで、本考案者は、前記課題を解決するために、鋭意検討を重ねた結果、含嗽用コップを逆さに収納可能な構造に着目し、かかる知見に基いて本考案に想到するに至った。
【００１０】
かくして、本考案によれば、コップホルダ及び含嗽用コップを備えた含嗽用コップ及びコップホルダ構造であって、
前記コップホルダは、垂直面上に固定させることが可能な固定部と、突出された延伸部とを有し、前記延伸部の底面には、結合部材が接続され、前記含嗽用コップは、前記結合部材が連結固定される被結合部材が底部に配置され、前記コップホルダの前記延伸部の下方に上下逆さに収納されることを特徴とする含嗽用コップ及びコップホルダ構造が提供される。
【００１１】
前記コップホルダは、開口を有する収納空間が頂部に設けられることが好ましい。
【００１２】
前記収納空間の底部には、傾斜底面が設けられ、前記傾斜底面の最低部位には、中空状槽孔が設けられることが好ましい。
【００１３】
前記コップホルダの前記結合部材及び前記含嗽用コップの前記被結合部材は、磁力により互いに吸着される磁性体又は互いに接続される面ファスナであることが好ましい。
【００１４】
前記コップホルダの前記延伸部の底面には、凹部空間が設けられ、前記凹部空間の内周縁には内リング溝が設けられ、前記結合部材の周側には、係合部が突設され、前記係合部が前記内リング溝内に嵌入されると、前記結合部材が前記延伸部の底面に固定されることが好ましい。
【００１５】
前記含嗽用コップの底部には、凹部空間が設けられ、前記凹部空間の内周縁には、内リング溝が設けられ、前記被結合部材の周側には、環状凸縁が突設され、前記環状凸縁が前記内リング溝内に嵌入されると、前記被結合部材が前記含嗽用コップの底面に固定されることが好ましい。
【００１６】
前記コップホルダは、プレート状の固定部材により垂直面上に固設されることが好ましい。
【００１７】
前記コップホルダは、プレート状の固定部材により垂直面上に固設されることが好ましい。
【００１８】
なお、本明細書に記載の「含嗽」は、口をすすぐうがいの意味で用いられているが、加えて、洗口液（マウスウォッシュ）を用いて口内を洗浄するような洗口も含むものとして使用している。
【考案の効果】
【００１９】
本考案は、前記の通りの構成からなり、含嗽用コップは、上下逆さにして保管する構造も簡素であり、保管時には常時乾燥状態となるので、細菌による汚染も防止することができ、衛生上も優れたものである。また、コップホルダには、歯ブラシその他の道具を乾燥状態で収納可能な収納空間が設けられてあり、コップのコップホルダーへの取付けも磁性体を使用するなど簡便な操作によることができ、使用上の利便性は極めて大きい。
【図面の簡単な説明】
【００２０】
【図１】本考案の一実施形態に係る含嗽用コップ及びコップホルダ構造を示す分解斜視図である。
【図２】本考案の一実施形態に係る結合部材とコップホルダとが組み合わされた構造を示す斜視図である。
【図３】本考案の一実施形態に係る含嗽用コップ及びコップホルダ構造を示す斜視図である。
【図４】本考案の一実施形態に係る含嗽用コップ及びコップホルダ構造を収納するときの状態を示す斜視図である。
【図５】本考案の一実施形態に係る含嗽用コップ及びコップホルダ構造を収納したときの状態を示す斜視図である。
【考案を実施するための形態】
【００２１】
以下、本考案の実施形態について図面に基づいて説明する。なお、これによって本考案が限定されるものではない。
【００２２】
図１及び図２を参照する。図１及び図２に示すように、本考案の一実施形態に係る含嗽用コップ及びコップホルダ構造は、少なくともコップホルダ１及び含嗽用コップ２から構成される。コップホルダ１には、開口が設けられた収納空間１２と、水平に延伸された延伸部１１と、を有する頂部が設けられている。収納空間１２の底部には、傾斜底面１２１が設けられている。この傾斜底面１２１の最低部位には、中空状槽孔１２２が設けられている。延伸部１１の底側には、結合部材１４を収納するために用いる凹部空間１１１が設けられている。凹部空間１１１の内周縁には、内リング溝１１２が設けられている。この結合部材１４は、磁性体又は面ファスナのフック面（又はループ面）でもよく、周縁に複数の係合部１４１（例えば、フック部）が弾性突出され、内リング溝１１２内に係合部１４１を嵌入させると、延伸部１１の底面に結合部材１４が連結固定される。コップホルダ１の表面には、所定の垂直面又は壁面上に固定するために用いる固定部１３が設けられている。含嗽用コップ２は、水を汲む含嗽用容器でもよく、被結合部材２２を収納するために用いる凹部空間２１が底部に設けられている。凹部空間２１の内周縁には、内リング溝２１１が設けられている。この被結合部材２２は、磁性体又は面ファスナのフック面（又はループ面）でもよく、突出された環状凸縁２２１が周縁に設けられている。この内リング溝２１１内に環状凸縁２２１を嵌入させると、含嗽用コップ２の外側底面に被結合部材２２が連結固定される。
【００２３】
上述の構造を実際に応用する際、コップホルダ１は、直接固定部１３（例えば、両面テープ）を利用して所定の垂直面又は壁面上に接着させ、或いはプレート状の固定部材３により所定の垂直面又は壁面上に固設させてもよい。固定部材３は、垂直面又は壁面上に、両面テープにより接着させ、又は釘により固定させてもよい。この固定部材３上には、収納部３１が凹設されている。収納部３１内には、必要に応じて磁性体又は面ファスナのフック面（又はループ面）が設けられてもよい。コップホルダ１の固定部１３上には、磁性体又は面ファスナのループ面（又はフック面）が対応して設けられ、着脱不能又は着脱自在に所定の垂直面又は壁面上に固定される。実際に使用する際、コップホルダ１の収納空間１２は、未使用（又は使用後）の歯ブラシを収納するために用いる。歯ブラシ上に残った水滴は、収納空間１２の底部の傾斜底面１２１から中空状槽孔１２２に案内された後に外部へ排出され、収納空間１２内部が細菌により汚染されることを防ぐ。含嗽用コップ２を使用した後、含嗽用コップ２を上下逆にし、その底部に設けられた被結合部材２２を結合部材１４上へ結合し（磁性体により吸着したり面ファスナにより接続したりしてもよい）、コップホルダ１の延伸部１１下方へ含嗽用コップ２を上下逆さにした状態で収納することができる。そのため、収納する際、占有空間が小さくなる上、逆さに置かれた含嗽用コップ２内の水分を完全に乾かすことができる。これにより、含嗽用コップ２内が細菌により汚染されて非衛生状態になることを防ぐことができる。被結合部材２２は、磁性体により吸着し、又は面ファスナにより接続し、結合部材１４と結合させて固定することができるため、操作が便利である。
【００２４】
上述したことから分かるように、本考案の含嗽用コップ及びコップホルダ構造は、含嗽用コップ及び歯ブラシを便利に収納し、含嗽用コップ及び歯ブラシの収納空間内を乾燥させ、衛生的に使用することができる。
以上、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２５】
１  コップホルダ
２  含嗽用コップ
３  固定部材
１１  延伸部
１２  収納空間
１３  固定部
１４  結合部材
２１  凹部空間
２２  被結合部材
３１  収納部
１１１  凹部空間
１１２  内リング溝
１２１  傾斜底面
１２２  中空状槽孔
１４１  係合部
２１１  内リング溝
２２１  環状凸縁
【図１】
0003176981.tif 000003
【図２】
0003176981.tif 000004
【図３】
0003176981.tif 000005
【図４】
0003176981.tif 000006
【図５】
0003176981.tif 000007